(57)【要約】【課題】  人体の手足または選定された位置に緊密に貼り付けて接触する導電エリアは電気刺激マッサージの効果を発生する電気刺激マッサージおおいを提供する。【解決手段】  マッサージおおいの全部または局部が導電ガーゼ材によって手袋１ａ、靴下、パンティーストッキングまたはその他人体に穿かれることに適した穿きつけ型グッズの形態に編み織りされている。マッサージおおいには単一極性または一組または一組以上の正負両極性の導電エリア１１及び互いに対応する導電ボタン１２がある。導電ボタン１２はコントローラ２に連結されて、電気刺激マッサージの効果を発生することが可能である。【選択図】    図５
2005245909.tif 000002
【特許請求の範囲】
【請求項１】
電気刺激マッサージおおいであって、
全部または局部が導電ガーゼ材によって手袋、靴下、パンティーストッキングまたはその他人体に穿かれることに適した穿きつけ型グッズの形態に編み織りされ、
単一極性または一組または一組以上の正負両極性の導電エリア及び互いに対応する導電ボタンがあり、導電ボタンはコントローラに連結されて、電気刺激マッサージの効果を発生可能であることを特徴とする電気刺激マッサージおおい。
【請求項２】
導電エリアは、複数個に表れて、延伸分布して設けられていることを特徴とする請求項１記載の電気刺激マッサージおおい。
【請求項３】
複数組の正負両極性の導電エリア及び互いに対応する導電ボタンが設置されていることを特徴とする請求項１記載の電気刺激マッサージおおい。
【請求項４】
靴下に適用され、足底の局部選定個所は導電ガーゼによって編み織りされ、複数組の正負両極性の導電エリアに形成されることを特徴とする請求項１記載の電気刺激マッサージおおい。
【請求項５】
導電エリアは、足底の違ったつぼの位置によって対応して分布していることを特徴とする請求項４記載の電気刺激マッサージおおい。
【請求項６】
導電エリアは、それぞれ絶縁手袋の上下内面に貼り付けて結合されていることを特徴とする請求項１記載の電気刺激マッサージおおい。
【請求項７】
環おおい型のグッズに適用され、導電エリアの間には隔離絶縁部が設けられていることを特徴とする請求項１記載の電気刺激マッサージおおい。
【請求項８】
絶縁部は、絶縁性の弾性材料から作られることを特徴とする請求項７記載の電気刺激マッサージおおい。
【請求項９】
環おおい型のグッズに適用され、マジックテープが設けられて、環おおいの形状に粘着連結可能であることを特徴とする請求項１記載の電気刺激マッサージおおい。
【請求項１０】
コントローラ内には、中枢ＩＣが設けられ、ＩＣによってパルスの波型を輸送し、インダクタンス及びキャパシタンスの充放電に高圧が発生し、かつプログラムをもってパルス幅を制御し、強弱程度の違う中または低周波電波の電気刺激マッサージが発生することを特徴とする請求項１記載の電気刺激マッサージおおい。
【請求項１１】
コントローラのパルス幅は、１ＨＺ〜１５０ＨＺの間であることを特徴とする請求項１０記載の電気刺激マッサージおおい。
【請求項１２】
コントローラは、パルス高圧を提供し、それぞれ複数個の導電ボタンへ引き継ぎされて出力端を構成することを特徴とする請求項１０記載の電気刺激マッサージおおい。
【発明の詳細な説明】
【技術分野】
【０００１】
本発明は、電気刺激マッサージおおいの設計を提供するもので、それの全部または局部は導電ガーゼ材によって手袋、靴下、パンティーストッキングまたはその他人体に穿かれることに適した穿きつけ型グッズの形態に編み織りされ、かつ中または低周波のコントローラに連結し、人体の手足または選定された位置に緊密に貼り付けて接触する導電エリアは電気刺激マッサージの効果を発生することができる。
【背景技術】
【０００２】
周知の低周波健康補助器の多くは、シリコンゴムの電極片を採用して、人体の手足、首筋、肩または体のその他等個所に貼り付け、かつ低周波コントローラに連結して電気を通すと、マッサージの効果が発生するが、周知の電極片と人体の肌の貼り付け接触は、接触粘着の効果がよくないので、脱落または偏移しやすく、そのために、たまには導電ゲルを塗布して粘着効果を増やさなければならず、使用上極めて不便であり、かつ不快感が生じる。
【発明の開示】
【発明が解決しようとする課題】
【０００３】
本発明の目的は、人体の手足または選定された位置に緊密に貼り付けて接触する導電エリアは電気刺激マッサージの効果を発生する電気刺激マッサージおおいを提供することにある。
【課題を解決するための手段】
【０００４】
電気刺激マッサージおおいの一種で、それの全部または局部は導電ガーゼ材によって手袋、靴下、パンティーストッキングまたはその他人体に穿かれることに適した穿きつけ型グッズの形態に編み織りされ、マッサージおおいには単一極性または一組または一組以上の正負両極性の導電エリア及び互いに対応する導電ボタンがあり、マッサージおおいは中または低周波のコントローラに連結され、コントローラが通電されると、導電エリアは人体の手、足またはその他選定された個所と緊密に貼り付け接触することによって電気刺激マッサージの効果が発生する。
【発明を実施するための最良の形態】
【０００５】
図面に示す如く、本発明の一実施例による電気刺激マッサージおおいの主要は、それの全部または局部が導電ガーゼ材によって手袋１ａ（図１及び図３の如く）、靴下１ｂ（図２及び図４の如く）またはその他人体に穿かれることに適した穿きつけ型グッズの形態に編み織りされ、マッサージおおい（すなわち、手袋１ａまたは靴下１ｂ）には単一極性または一組または一組以上の正負両極性の導電エリア１１及び互いに対応する導電ボタン１２があり、マッサージおおい１ａまたはマッサージおおい１ｂは中または低周波のコントローラ２に連結され、コントローラ２に電気が通されると、導電エリア１１は人体の手、足またはその他選定された個所と緊密に貼り付け接触することによって電気刺激マッサージの効果が発生する。
【０００６】
図５及び図６に示す如く、上記単一極性のあるマッサージおおい１ａまたはマッサージおおい１ｂを使用する場合、二つのマッサージおおい１ａまたはマッサージおおい１ｂに設けられている単一の導電ボタン１２を導接線２１によってそれぞれコントローラ２に連結し、回路を構成すれば、電気刺激マッサージの効果を発生することができる。前記同時に正負両極性のあるマッサージおおい１ａは二つ極性の違う導電ボタン１２が導接線２１によってそれぞれコントローラ２に連結されて回路を構成（図７の如く）しているので、単一のマッサージおおい１ａだけで電気刺激マッサージの効果を発生することができる。
【０００７】
図８または図１０に示す如く、前記同時に正負両極性のあるマッサージおおい１ａまたはマッサージおおい１ｂは、二つの違う正負極性の導電ボタン１２をコントローラ２と組合して直接マッサージおおい（すなわち、手袋１ａまたは靴下１ｂ）に結合し、導接線２１を省くことができる。
【０００８】
本実施例の設計精神により、上記マッサージおおい（たとえば、手袋１ａまたは靴下１ｂ）は延伸して分布する複数個の導電エリア１１を設けてもよく、各延伸導電エリア１１の分布態様は人体のつぼと対応するように形成し、それによって、各選定されたつぼに対して電気刺激マッサージを行うことができる。図１１から図１４に示す如く、本実施例が靴下１ｂに実施される場合、その局部選定個所に導電ガーゼをもって複数個の延伸導電エリア１１に形成する各種違う態様に作成されているので、本実施例が手袋に実施されても、それの原理は同じであり、ここでは余計な説明をしない。
【０００９】
上記マッサージおおい（たとえば、手袋１ａまたは靴下１ｂ）が実施される場合、その単一マッサージおおい１ａまたはマッサージおおい１ｂに複数個の正負両極性のある導電エリア１１及び互いに対応する導電ボタン１２を設置してもよく（図１５の如く）、コントローラ２はその中の一組の正負両極性の導電ボタン１２を選択して連結し、手または足の違ったつぼに対して電気刺激のマッサージを行うことができる。図１６に示す如く、本実施例が靴下１ｂに実施される場合、その足底局部の選定された個所に導電ガーゼをもって複数組の正負両極性のある導電エリア１１を形成し、靴下１ｂが履かれると、足下の違ったつぼの分布によって電気刺激マッサージを行うことができる。同じく、図１７に示す如く、本実施例は、パンティーストッキング１ｂの形態に実施されてもよく、全部または局部に導電ガーゼをもってパンティーストッキング１ｂに作り、そのパンティーストッキング１ｂは単一極性または一組または一組以上の正負両極性のある導電エリア１１及び互いに対応する導電ボタン１２を持つことができる。
【００１０】
図１８及び図１９に示す如く実施される場合は、二枚の導電ガーゼ材によって作られた導電布１１ｂを使い、それをそれぞれ正負両極性のある導電エリア１１に形成して周知の絶縁手袋１０の上下内面に貼り付けて結合し、それによって、電気刺激マッサージの手袋を構成し、同じくその絶縁手袋１０の選定された個所にも導電ボタン（図面には示されていない）が設けられている。
【００１１】
以上は本発明に取り上げた一実施例であり、それは本発明の技術内容を制限するものではなく、その他本発明の技術内容と類似または同等効果の入れ替え変化は、すべて本発明に含まれるものとさせていただきます。たとえば、図２０に示す如く、マッサージおおいは導電ガーゼ材によって環おおい型グッズ１ｃに織り編みされ、人体に穿かれることに適すればよく、その環おおい型グッズ１ｃのマッサージおおいは同じく単一極性または一組または一組以上の正負両極性のある導電エリア１１及び互いに対応する導電ボタン１２が設置され、中または低周波のコントローラとの接続に供されてもよく、それによって、導電エリア１１と人体の選定された個所は緊密に貼り付けて接触し、電気刺激マッサージの効果を発生することができる。図面に示す環おおい型グッズ１ｃには二つの正負両極性の導電エリア１１が設けられているので、適当個所には隔離絶縁部１３が設けられ、かつその絶縁部１３は導電しない弾性材、たとえば、一般の伸縮する弾性のあるゴムバンドでもよい。
【００１２】
上記導電ガーゼ材によって編み織りされた環おおい型グッズ１ｃに表れる環おおいの形状には制限がなく、図２０に示す実施形態のほか、図２３から図２６に示す如く、それは、弾性張力のあるネット状の環おおい型グッズ１ｃを人体の各違う個所におおい被せた各種使用状態である。この外、図２６に示す如く、その環おおい型グッズ１ｃにはマジックテープ１１ｃが設置されてもよく、それによって簡単に粘着連結して環おおいの形状になり、便利に人体の各個所をおおうことができる。
【００１３】
上記コントローラ２内には中枢ＩＣが設けられ、ＩＣによってパルスの波型を輸送し、インダクタンス及びキャパシタンスの充放電高圧が発生し、かつプログラムをもってパルス幅（約１ＨＺ〜１５０ＨＺ）を制御し、強弱程度の違う中または低周波電波の電気刺激マッサージの感覚が発生し、図５及び図６に示す如く、そのコントローラ２には複数個のコントロールボタン２２があり、それぞれ電流の増強（ｕｐ）または減少（ｄｏｗｎ）、制御時間の設定、電源の開閉（ｏｎ／ｏｆｆ）及びマッサージモードの選択等に使われ、かつ液晶ディスプレイ２３があって、操作制御のモードを表し、並びに内部回路を経てパルス高圧を提供し、それぞれ複数個の導電取り付けボタン２４（図７に示す如く）へ引き継ぎされて出力端を形成し、各導電取り付けボタン２４は導電線２１によってマッサージおおい（手袋１ａ、靴下１ｂまたは１ｃ）の導電ボタン１２に接続され、導通回路を構成する。
【００１４】
本発明の主要目的は、電気刺激マッサージおおいの設計を提供するもので、特に、それの全部または局部が導電ガーゼ材によって手袋、靴下、パンティーストッキングまたはその他人体に穿かれることに適した穿きつけ型グッズの形態に編み織りされ、マッサージおおいの導電ガーゼのある部分は単一極性または一組または一組以上の正負両極性の導電エリアに形成され、かつ各導電エリアに導電ボタンが設置されて中または低周波のコントローラと連結して使用することができ、その導電エリアと人体の手、足またはその他選定された個所が緊密に貼り付けて接触することによって、電気刺激マッサージの効果が発生し、その導電ガーゼには極めてよい弾性張力があるので、マッサージおおいの導電エリアは人体またはつぼの個所に完全に貼り付けて接触することができ、使用時は、脱落または偏移することがなく、気持ちよく貼り付けられ、かつ穿くには極めて便利で容易である。
【図面の簡単な説明】
【００１５】
【図１】本発明の一実施例による電気刺激マッサージおおいが単一極性の手袋型マッサージおおいに作られた状態を示す模式図である。
【図２】本発明の一実施例による電気刺激マッサージおおいが単一極性の靴下型マッサージおおいに作られた状態を示す模式図である。
【図３】本発明の一実施例による電気刺激マッサージおおいが両極性の手袋型マッサージおおいに作られた状態を示す模式図である。
【図４】本発明の一実施例による電気刺激マッサージおおいが両極性の靴下型マッサージおおいに作られた状態を示す模式図である。
【図５】本発明の一実施例による電気刺激マッサージおおいの単一極性の手袋型マッサージおおいをコントローラに接続した状態を示す模式図である。
【図６】本発明の一実施例による電気刺激マッサージおおいの単一極性の靴下型マッサージおおいをコントローラに接続した状態を示す模式図である。
【図７】本発明の一実施例による電気刺激マッサージおおいの両極性の手袋型マッサージおおいをコントローラに接続した状態を示す模式図である。
【図８】本発明の一実施例による電気刺激マッサージおおいの両極性の手袋型マッサージおおいを直接コントローラに連結した状態を示す模式図である。
【図９】本発明の一実施例による電気刺激マッサージおおいの両極性の靴下型マッサージおおいをコントローラに接続した状態を示す模式図である。
【図１０】本発明の一実施例による電気刺激マッサージおおいの別の両極性の靴下型マッサージおおいをコントローラに接続した状態を示す模式図である。
【図１１】本発明の一実施例による電気刺激マッサージおおいの靴下型マッサージおおいに違った延伸導電エリアの態様が設けられている状態を示す模式図である。
【図１２】本発明の一実施例による電気刺激マッサージおおいの靴下型マッサージおおいに違った延伸導電エリアの態様が設けられている状態を示す模式図である。
【図１３】本発明の一実施例による電気刺激マッサージおおいの靴下型マッサージおおいに違った延伸導電エリアの態様が設けられている状態を示す模式図である。
【図１４】本発明の一実施例による電気刺激マッサージおおいの靴下型マッサージおおいに違った延伸導電エリアの態様が設けられている状態を示す模式図である。
【図１５】本発明の一実施例による電気刺激マッサージおおいに複数組の正負両極性の導電エリア及び導電ボタンが設置されている状態を示す模式図である。
【図１６】本発明の一実施例による電気刺激マッサージおおいの靴下型マッサージおおいに足底の違ったつぼに対応する複数組の導電エリアが設置された状態を示す模式図である。
【図１７】本発明の一実施例による電気刺激マッサージおおいの両極性パンティーストッキング型マッサージおおいに作られた状態を示す模式図である。
【図１８】本発明の一実施例による電気刺激マッサージおおいの絶縁手袋の内面にそれぞれ正負両極性の導電エリアが設けられている状態を示す模式図である。
【図１９】本発明の一実施例による電気刺激マッサージおおいの絶縁手袋の内面にそれぞれ正負両極性の導電エリアが設けられている状態を示す断面図である。
【図２０】本発明の一実施例による電気刺激マッサージおおいの両極性環おおい型グッズのマッサージおおいに作られた状態を示す斜視図である。
【図２１】本発明の一実施例による電気刺激マッサージおおいの単一極性の別の形態の環おおい型グッズに作られた状態を示す斜視図である。
【図２２】本発明の一実施例による電気刺激マッサージおおいの両極性の別の形態の環おおい型グッズに作られた状態を示す斜視図である。
【図２３】本発明の一実施例による電気刺激マッサージおおいの環おおい型グッズのマッサージおおいに作られた状態を示す模式図である。
【図２４】本発明の一実施例による電気刺激マッサージおおいの環おおい型グッズのマッサージおおいに作られた状態を示す模式図である。
【図２５】本発明の一実施例による電気刺激マッサージおおいの環おおい型グッズのマッサージおおいに作られた状態を示す模式図である。
【図２６】本発明の一実施例による電気刺激マッサージおおいの環おおい型グッズのマッサージおおいに作られた状態を示す模式図である。
【符号の説明】
【００１６】
１ａ  手袋、１ｂ  靴下、１ｃ  環おおい型グッズ、２  コントローラ、１０  絶縁手袋、１１  導電エリア、１１ｂ  導電ガーゼ、１１ｃ  マジックテープ、１２  導電ボタン、１３  絶縁部、２１  導接線、２２  コントロールキー、２３  液晶ディスプレイ、２４  導電取り付けボタン
【図１】
2005245909.tif 000003
【図２】
2005245909.tif 000004
【図３】
2005245909.tif 000005
【図４】
2005245909.tif 000006
【図５】
2005245909.tif 000007
【図６】
2005245909.tif 000008
【図７】
2005245909.tif 000009
【図８】
2005245909.tif 000010
【図９】
2005245909.tif 000011
【図１０】
2005245909.tif 000012
【図１１】
2005245909.tif 000013
【図１２】
2005245909.tif 000014
【図１３】
2005245909.tif 000015
【図１４】
2005245909.tif 000016
【図１５】
2005245909.tif 000017
【図１６】
2005245909.tif 000018
【図１７】
2005245909.tif 000019
【図１８】
2005245909.tif 000020
【図１９】
2005245909.tif 000021
【図２０】
2005245909.tif 000022
【図２１】
2005245909.tif 000023
【図２２】
2005245909.tif 000024
【図２３】
2005245909.tif 000025
【図２４】
2005245909.tif 000026
【図２５】
2005245909.tif 000027
【図２６】
2005245909.tif 000028